(57)【特許請求の範囲】
【請求項１】
湾曲形状を有する焦点面を設定する光学システムと、
フレキシブルプリント回路基板と、
前記フレキシブルプリント回路基板上に搭載された複数の光検出器と、
少なくとも第１の締具および第２の締具を備えるクランプと
を備え、
前記第１の締具が、前記焦点面の前記湾曲形状に対応する凸面を有し、前記第２の締具が、前記焦点面の前記湾曲形状に対応する凹面を有し、前記フレキシブルプリント回路基板が、前記焦点面の前記湾曲形状と実質的に共形になり、前記複数の光検出器中の光検出器のそれぞれが、前記焦点面上のそれぞれの位置に来るように、前記クランプが、前記第１の締具と前記第２の締具との間に前記フレキシブルプリント回路基板を保持するように構成され、前記フレキシブルプリント回路基板が、前記第１の締具の前記凸面と前記第２の締具の前記凹面に追従することによって前記複数の光検出器の各光検出器が前記焦点面上のそれぞれの位置に配置され、
前記複数の光検出器中の各光検出器が、前記第１の締具と前記第２の締具との間において、前記フレキシブルプリント回路基板の少なくとも１つのそれぞれの伝導トレースに電気的に接続される、装置。
【請求項２】
前記フレキシブルプリント回路基板が複数の位置合わせ孔を備え、前記クランプに対して前記フレキシブルプリント回路基板を位置決めするように、前記クランプが前記複数の位置合わせ孔を貫通して延在する複数のダウエルピンを備える、請求項１に記載の装置。
【請求項３】
前記複数のダウエルが、前記第１の締具または前記第２の締具の少なくとも１つにある対応する孔を通って延在する、請求項２に記載の装置。
【請求項４】
前記複数の光検出器中の各光検出器が、それぞれアバランシェフォトダイオードを備える、請求項１に記載の装置。
【請求項５】
前記複数の光検出器中の光検出器が、複数の列に配置される、請求項１に記載の装置。
【請求項６】
前記光学システムがレンズを備える、請求項１に記載の装置。
【請求項７】
前記レンズが、非球面およびトロイダル面を有する、請求項６に記載の装置。
【請求項８】
前記複数の光検出器中の光検出器が複数の列に配置され、前記トロイダル面が、前記列に平行な方向に第１の曲率を有し、前記列に垂直な方向に第２の曲率を有する、請求項７に記載の装置。
【請求項９】
平坦な形のフレキシブルプリント回路基板上に複数の光検出器を、各光検出器が前記フレキシブルプリント回路基板上にそれぞれの２次元位置を有するように搭載すること、
前記複数の光検出器が搭載された前記フレキシブルプリント回路基板を、湾曲された前記フレキシブルプリント回路基板が光学システムによって設定される焦点面の湾曲形状に実質的に共形になるように湾曲させること、および、
前記複数の光検出器中の各光検出器が、前記焦点面上のそれぞれの３次元位置に来るように、前記湾曲されたフレキシブルプリント回路基板を前記光学システムに対して配置すること
を含み、
前記フレキシブルプリント回路基板を湾曲させることが、少なくとも第１の締具と第２の締具との間に前記フレキシブルプリント回路基板を挟持することを含み、前記第１の締具が、前記焦点面の前記湾曲形状に対応する凸面を有し、前記第２の締具が、前記焦点面の前記湾曲形状に対応する凹面を有し、
前記湾曲されたフレキシブルプリント回路基板を前記光学システムに対して配置することが、前記第１の締具と前記第２の締具との間に前記フレキシブルプリント回路基板を保持すること、及び、前記フレキシブルプリント回路基板が、前記第１の締具の前記凸面と前記第２の締具の前記凹面に追従することによって前記複数の光検出器の各光検出器を前記焦点面上のそれぞれの位置に配置することを含み、
前記フレキシブルプリント回路基板上に前記複数の光検出器を搭載することが、前記第１の締具と前記第２の締具との間において、前記複数の光検出器中の各光検出器を前記フレキシブルプリント回路基板の少なくとも１つのそれぞれの伝導トレースに電気的に接続するステップを含む、方法。
【請求項１０】
前記複数の光検出器中の光検出器が、前記フレキシブルプリント回路基板上の複数の列に配置される、請求項９に記載の方法。
【請求項１１】
前記フレキシブルプリント回路基板を湾曲させることが、前記列に平行な方向に前記フレキシブルプリント回路基板を湾曲させることを含む、請求項１０に記載の方法。
【請求項１２】
前記フレキシブルプリント回路基板を湾曲させることが、前記列に垂直な方向に前記フレキシブルプリント回路基板を湾曲させることを含む、請求項１０に記載の方法。
【請求項１３】
前記フレキシブルプリント回路基板が複数の位置合わせ孔を有し、少なくとも１つの前記締具が複数の対応する孔を有し、前記複数の位置合わせ孔および対応する孔を貫通して複数のダウエルピンを挿入することによって、前記フレキシブル基板が前記締具に対して位置決めされる、請求項９に記載の方法。
【請求項１４】
前記光学システムがレンズを備える、請求項９に記載の方法。
【請求項１５】
前記レンズが、非球面およびトロイダル面を有する、請求項１４に記載の方法。
【発明の詳細な説明】
【背景技術】
【０００１】
[0001]  本明細書に別段の指定がない限り、本節に記述される事項は、本願における特許請求の範囲に対する先行技術にはならず、本節に含まれることによって先行技術であると認めるものではない。
【０００２】
[0002]  光検出測距（LIDAR）デバイスは、周囲に光を送出し、周囲の物体から反射されてＬＩＤＡＲデバイスに戻る送出光の一部を受光することによって、その周囲の物体を検出することができる。受光された光は１つまたは複数の光検出器によって検出することができる。たとえば、ＬＩＤＡＲデバイスは、受光した光を１つまたは複数の光検出器上に集束させる光学システムを備えることができる。
【発明の概要】
【０００３】
[0003]  一態様では、例示的実施形態が、湾曲形状を有する焦点面を設定する光学システムと、フレキシブル基板と、フレキシブル基板に搭載された複数の光検出器と、クランプとを備える装置を提示する。クランプは、少なくとも第１の締具および第２の締具を備える。第１の締具は、焦点面の湾曲形状に対応する凸面を有する。第２の締具は、焦点面の湾曲形状に対応する凹面を有する。クランプが、第１の締具と第２の締具との間にフレキシブル基板を保持するように構成され、それによって、フレキシブル基板が、焦点面の湾曲形状と実質的に共形になり、複数の光検出器中の光検出器のそれぞれが、焦点面上のそれぞれの位置に来る。
【０００４】
[0004]  別の態様では、例示的実施形態が方法を提示する。その方法は、平坦な形のフレキシブル基板上に複数の光検出器を、各光検出器がフレキシブル基板上にそれぞれの２次元位置を有するように、搭載するステップを含む。方法は、複数の光検出器が搭載されたフレキシブル基板を、湾曲されたフレキシブル基板が光学システムによって設定される湾曲焦点面に実質的に共形になるように、湾曲させるステップをさらに含む。さらに、方法は、複数の光検出器中の各光検出器が、焦点面上のそれぞれの３次元位置に来るように、湾曲済みのフレキシブル基板を光学システムに対して配置するステップを含む。
【０００５】
[0005]  さらに別の態様では、例示的実施形態が、平坦な形のフレキシブル基板上に複数の光検出器を、各光検出器がフレキシブル基板上にそれぞれの２次元位置を有するように、搭載する手段と、複数の光検出器が搭載されたフレキシブル基板を、湾曲されたフレキシブル基板が光学システムによって設定される湾曲焦点面に実質的に共形になるように、湾曲させる手段と、複数の光検出器中の各光検出器が、焦点面上のそれぞれの３次元位置に来るように、湾曲済みのフレキシブル基板を光学システムに対して配置する手段とを備えるシステムを提示する。
【図面の簡単な説明】
【０００６】
【図１】[0006]例示的実施形態による、光学システムと、光学システムによって設定された焦点面上に配置された光検出器のアレイとを備える装置の構成図である。
【図２】[0007]例示的実施形態による、２つ締具間に保持されたフレキシブル基板上に光検出器のアレイを備えるアセンブリの上面図である。
【図３】[0008]例示的実施形態による、図２のアセンブリの側面図である。
【図４】[0009]例示的実施形態による、湾曲焦点面上に光検出器を配置する方法のフローチャートである。
【発明を実施するための形態】
【０００７】
[0010]  以下の詳細な説明では、添付図面を参照しながら、開示されるシステム、デバイス、および方法の様々な特徴および機能を説明する。図面では、別途指示のない限り、同様な記号は同様な構成要素を示す。本発明に記載される例示的なシステム、デバイス、および方法の実施形態は、限定するものではない。開示されるシステム、デバイス、および方法の態様によっては、広く様々な異なる構成で改変し組み合わせることができ、その全てが本明細書において予期されるものであることは当業者にとって容易に理解することができる。
【０００８】
[0011]  用途によっては、光学システムによって設定される湾曲した焦点面上の正確な位置に多数の光検出器（たとえばアバランシェダイオード）を配置することが望ましいことがある。この配置を達成するために、光検出器を、平坦な形のフレキシブルプリント回路基板（PCB）または他のフレキシブル基板上の所望の位置に搭載することができる。搭載プロセスは、基板上に光検出器の正確な２次元配置を行うことができるダイボンダマシンまたは他のコンピュータ制御式「ピックアンドプレイス」システムを使用して実施することができる。
【０００９】
[0012]  次いで、光検出器が搭載されたフレキシブル基板を、湾曲焦点面の形状に実質的に共形の形状にすることができる。この形状形成は、２つの締具の間でフレキシブル基板を挟持することによって達成することができる。一方の締具は、湾曲焦点面の形状に対応する凸面を有することができ、他方の締具は、湾曲焦点面の形状に対応する凹面を有することができる。フレキシブル基板が両締具の間に保持されると、フレキシブル基板は、両締具の凹面および凸面の湾曲形状と共形になる。
【００１０】
[0013]  締具は、両締具を一体にボルト締めし、または他の手段によって、それらの間のフレキシブル基板と共に保持することができる。さらに、締具に対するフレキシブル基板の望ましい横方向位置決めを行うために、ダウエルピンを、締具とフレキシブル基板との対応する孔を通して挿入することができる。
【００１１】
[0014]  非限定的な例示的用途は、光検知測距（LIDAR）システムにおける複数の戻り光パルスの検出である。ＬＩＤＡＲシステムは、周囲に光の投射パルスを送出し、周囲の１つまたは複数の物体から反射された戻りパルスを検出し、投射パルスの送出と、対応する反射パルスの受光との間の時間遅れに基づいてその１つまたは複数の物体への距離を求めることによって、ＬＩＤＡＲシステムの周囲の１つまたは複数の物体の位置を検出することができる。光の投射パルスを送出し、複数の方向での時間遅れを測定することによって、周囲の「ポイントクラウド」マップを創出することができる。
【００１２】
[0015]  ＬＩＤＡＲは、単なる用途例に過ぎないことを理解されたい。本明細書に記述される装置および方法は、湾曲焦点面で光を検出するために光検出器が使用される場合のあらゆる用途に使用することができる。
【００１３】
[0016]  図１は、光学系システムとその光学系システムによって設定される湾曲焦点面上に配置された多数の光検出器とを備える例示的装置１００を示す。この例では、光学システムが、非球面１２０およびトロイダル面１３０を有するレンズ１１０として示されている。レンズ１１０は、湾曲焦点面１４０上に光を集束させるように構成されている。多数の光検出器１５０が、湾曲焦点面１４０上に光検出器１５０が位置するように配置され曲げられたフレキシブル基板１６０上に搭載されている。
【００１４】
[0017]  装置１００では、レンズ１１０は、様々な方向から来る光を、諸光検出器１５０のうちの様々なそれぞれの光検出器上に集束させることができる。図１に示されるように、入射光線１７０は、レンズ１１０によって屈折されて、湾曲焦点面１４０上の対応する光検出器１５０ａ上に集束する。レンズ１１０の光軸に対して或る角度にある別の入射光線１８０は、レンズ１１０によって屈折されて、湾曲焦点面１４０上の対応する光検出器１５０ｂ上に集束する。
【００１５】
[0018]  図１の例では、光学システムが、特定の形状を有するレンズ１１０として示されているが、光学システムは、湾曲焦点面を形成する他のタイプのレンズおよび／または他の要素を備えることができる。たとえば、光学システムは、１つまたは複数の反射、屈折、または回折要素を備えることができる。光学システムは、また、１つまたは複数のフィルタ要素、偏光要素、または非線形光学要素を備えることもできる。さらに、光学システムは、上に列挙した光学要素、または上記以外の当業者には周知の光学要素のそれぞれの１つまたは複数を組合せて備えることができる。その組合せの配置は、単一の共通光軸を有する必要はなく、あるいはいかなる軸についても対称である必要はない。
【００１６】
[0019]  光学システム（たとえばレンズ１１０）は、また、他の機能を果たすこともできる。たとえば、ＬＩＤＡＲシステムは、光学システムを通して送光する１つまたは複数の光源を備えることができる。さらに、各光源は、光検出器１５０中の対応する光検出器と対をなすことができ、それによって、光源によって光学システムを通って送出され、周囲の物体によって反射された光が、光学システムによって、その光源に対応する光検出器上に集束される。
【００１７】
[0020]  図１に示された特定の焦点面１４０は、単に例示目的のために使用され、光検出器１５０の可能な配置または光学システムの構成を限定しようとするものではない。焦点面１４０は、回転軸周りに対称でありまたは対称面を有する必要（図１が暗示するような）はない。実際は、焦点面１４０は、光学システムによって形成されるいかなる湾曲面でもよい。
【００１８】
[0021]  図１に示されるフレキシブル基板１６０上の光検出器１５０の規則的な配置は、説明上の例として用いるためのものである。一般に、フレキシブル基板１６０上の光検出器１５０の配置は、規則的である必要はなく、特定の用途の必要性に応じるいかなるパターンでもよい。たとえば、装置１００が、車両に取り付けられたＬＩＤＡＲシステムの一部である場合、車両の周囲で特に関心のある領域に関してより高解像度の情報を得ることが有益であり得る。その結果、光検出器１５０は、特に関心のある領域に対応する位置において、より高密度にフレキシブル基板１６０上に分布させることができる。
【００１９】
[0022]  図２および３は、光検出器２１０のアレイが光学システム（図示せず）の焦点面に対応する湾曲面上に配置されている、非限定的な例示的アセンブリ２００を示す。図２はアセンブリ２００の上面図を示し、図３は側面図を示す。アセンブリ２００は、フレキシブルＰＣＢ２２０上に搭載され、フレキシブルＰＣＢ２２０上のそれぞれの伝導トレース２３０に接続された光検出器２１０のアレイを備える。伝導トレース２３０は、フレキシブルＰＣＢ２２０上のコネクタ２４０に電気的に接続されている。この例では、光検出器２１０は、アバランシェフォトダイオードであり、互いにずれた４本の平行な列に配置されている。この配置は、各光検出器が対応する光源と対になっているＬＩＤＡＲシステム（図示せず）の複数の光源に対応し得る。
【００２０】
[0023]  一例では、アセンブリ２００がレンズと共に使用される。アセンブリ２００は、図１に示された装置１００のような、レンズまたは他の光学システムが湾曲焦点面を形成する装置で使用することができる。レンズは、非球面およびトロイダル面を有することができる。トロイダル面は、光検出器２１０の列に平行な方向に対応する第１の曲率と、光検出器２１０の列に垂直な方向に対応する第２の曲率とを有することができる。
【００２１】
[0024]  フレキシブルＰＣＢ２２０は、上側締具２５０と下側締具２６０との間に挟持され、両締具が、ボルト２７０によって一体に固定されている。図３に示されるように、上側締具２５０は湾曲凸面２５５を有し、下側締具２６０は湾曲凹面２６５を有する。これら湾曲面は、互いに対応し、焦点面の湾曲形状に対応する。フレキシブルＰＣＢ２２０は、それを上側締具２５０と下側締具２６０との間に配置し、両締具をボルト２７０によって一体に固定することによって、焦点面の湾曲形状に成形される。光学システムの湾曲焦点面にその形状が対応する湾曲面間に挟持されることによって、フレキシブルＰＣＢ２２０は、その上に搭載された光検出器２１０を、レンズまたは他の光学システムの湾曲焦点面に対応する空間的湾曲形状上に位置させるように配置する。
【００２２】
[0025]  図２に示されるように、１対の位置合わせ孔２８０が、上側締具２５０、フレキシブルＰＣＢ２２０を貫通して下側締具２６０内まで延在することができる。位置合わせ孔２８０は、対応するダウエルピンを受け入れて、締具２５０、２６０に対するフレキシブルＰＣＢ２２０の位置合わせを機械的に確保することができる。ダウエルピンと孔とのシステムは、例示的装置２００の組立を補助する働きをすることもできる。
【００２３】
[0026]  図２および３に示されるように、例示的装置２００は、それぞれ単体の機械加工構成要素である上側締具２５０と下側締具２６０とを備える。これは、実施形態で使用される締具の形を限定することを意図するものではない。すなわち、上側締具の構成要素と下側締具の構成要素とをフレキシブル基板の周りに一体に固定してフレキシブル基板を焦点面の湾曲形状に成形することができる限り、上側締具および／または下側締具を、それぞれ、１つまたは複数の構成要素から製作してもよい。
【００２４】
[0027]  例示的アセンブリ２００の締具２５０、２６０は、ボルト２７０を用いて一体に固定されているところが示されているが、これは、非限定的例としてのものである。締具は、クリップ、接着剤、溶接、外部クランプ、１つまたは複数の磁石、液圧もしくは空気圧の外部適用、または当業者に周知の、構成要素を取り付ける別の方法のいずれをも含めて、他の手段によって取り付けることができる。
【００２５】
[0028]  さらに、位置合わせ孔２８０および対応するダウエルピンの使用は、締具２５０、２６０に対して基板２２０を位置決めする非限定的な例示的方式としてのものである。孔の位置および数は、例示的装置２００とは異なってもよい。孔は、１つまたは両方の締具を完全に貫通してもよく、または部分的な貫通であってもよい。ダウエルは、締具とは別であってもよく、あるいは１つまたは複数の締具の構造の一部分であってもよい。ダウエルは、アセンブリの一部分として残ってもよいし、製造中に使用されるだけでその後取り除かれてもよい。位置合わせ孔またはダウエルピンに頼らない、基板を締具と位置合わせする代替方法を使用することもできる。
【００２６】
[0029]  一例では、例示的アセンブリ２００のフレキシブルＰＣＢ２２０上に配置される光検出器要素２１０は、アバランシェフォトダイオードである。他の例では、光検出器要素には、フォトトランジスタ、アバランシェフォトトランジスタ、フォトダイオード、光電池、フォトレジスタ、焦電検出器、ＣＭＯＳアクティブ画像センサ、ＣＣＤ素子、または当業者に周知の他のあらゆる光検出器要素を含めることができる。さらに、複数の光検出器要素は、１つタイプのセンサのみを備える必要はなく、様々なタイプの混合体を備えることができる。さらに、光検出器は、電磁スペクトルの可視、紫外、および／または赤外部分の光の波長を検出するように構成することができる。一部の例では、光検出器に達する波長を制限するために、光検出器上にフィルタを配置することができる。
【００２７】
[0030]  さらに、光検出器２１０の検出システムへの電気接続は、フレキシブルＰＣＢ２２０上のそれぞれの伝導トレース２３０およびコネクタ２４０とは別の方式で果たすことができる。たとえば、光検出器は、フレキシブル基板または締具から独立させることができ、または何らかの方式で機械的または電気的にそれらに接合することができる個々のワイヤ配線やケーブル配線によって、検出システムに接続することができる。接続は、フレキシブル基板から独立していてもよく、またはフレキシブル基板上にパターン形成されてもよいＲＦマイクロストリップラインによって果たすこともできる。光検出器は、列挙されていないが当業者には周知の他の方法によって接続することもできる。フレキシブル基板上への光検出器の搭載は、例示のように、それぞれのトレースに接合することによって達成することができ、または、接着剤もしくは当業者に周知の他の方法を使用することによって達成することができる。
【００２８】
[0031]  例示的アセンブリ２００の光検出器２１０は、互いにずれた平行な列中の規則的な間隔で、フレキシブル基板２２０上に配置されているが、特許請求の範囲の実施形態は、光学システムの光学場の所望のサンプリングに応じるいかなるパターンにでも、光検出器をフレキシブル基板上に配置することができる。その配置は、１つの列のみで構成してもよく、あるいは複数の列で構成してもよく、列内の光検出器の配置は、規則的でもよく、任意の間隔を有してもよい。光検出器は、正方形、６角形、または他の規則的な碁盤目状のパターンに配置してもよく、または不規則なパターンに配置してもよい。
【００２９】
[0032]  図２および３に示された例示的アセンブリ２００のフレキシブル基板は、フレキシブルＰＣＢ２２０である。ただし、他のフレキシブル基板を使用することもできる。基板は、金属でもよく、光検出器を電気ノイズから遮蔽する接地板として作用するように構成することができる。フレキシブル基板は、また、光学システムによって設定される湾曲光学面と共形に撓めることができ、光検出器を指定位置に付着することができる他の材料から製作することもできる。
【００３０】
[0033]  図３に示された締具２５０、２６０間のフレキシブルＰＣＢ２２０の撓曲は、特許請求の範囲に記載の装置の１つの可能な実施形態を例示するものである。撓曲は、光学システムの湾曲焦点面に実質的に対応するいかなる湾曲にも従うことができる。さらに、撓曲は、１方向のみである必要はなく、フレキシブル基板の撓む能力に応じて２方向でもよい。撓曲は、基板上の光検出器の列の方向に対して平行でもよく、基板上の光検出器の配置に対して任意の角度であってもよい。撓曲は、また、複数方向であってもよい。
【００３１】
[0034]  光学システムの焦点面の湾曲形状と締具内のＰＣＢ２２０の湾曲形状との整合の精度もまた、たとえば、湾曲ＰＣＢ２２０上の光検出器２１０において達成すべき焦点の精度に応じて変化し得る。たとえば、光検出器２１０がそれぞれ、光検出器２１０上への光の集束においてある程度の不正確さを許容することができるような、十分に大きい感光面積を有する場合がある。その結果、光学システムの焦点面に対する光検出器２１０の位置のある程度のずれは許容可能になり得る。
【００３２】
[0035]  図４は、湾曲焦点面上のそれぞれの３次元位置に光検出器を配置する非限定的な例示的方法４００を示す。方法４００は、複数の光検出器を平坦な形のフレキシブル基板上に搭載するステップ（ブロック４１０）と、湾曲されたフレキシブル基板が光学システムによって設定される焦点面の湾曲形状に実質的に共形になるように、フレキシブル基板を湾曲させるステップ（ブロック４２０）と、複数の光検出器中の各光検出器が、焦点面上のそれぞれの３次元位置に来るように、湾曲済みのフレキシブル基板を光学システムに対して配置するステップ（ブロック４３０）とを含む。
【００３３】
[0036]  方法４００の例示的実行形態では、平坦な形のフレキシブル基板上に複数の光検出器を搭載するステップ（ブロック４１０）が、ピックアンドプレイス機を用いてフレキシブルＰＣＢ上にアバランシェフォトダイオードを平行な列で配置するステップと、次いで、それらフォトダイオードをＰＣＢ上のそれぞれの伝導トレースにダイボンドするステップとを含む。光検出器の複数列への配置は、方法４００の例示的実施形態として示されたものであり、限定するものではない。光検出器は、単一の列、あるいは繰返し式の正方形もしくは６角形パターンまたは別のパターンで配置してもよい。
【００３４】
[0037]  方法４００のさらに別の例として、フレキシブル基板を、湾曲されたフレキシブル基板が光学システムによって設定される焦点面の湾曲形状に実質的に共形になるように、湾曲させるステップ（ブロック４２０）が、フレキシブルＰＣＢを２つの締具間に挟持するステップを含むことができる。締具の一方は、レンズによって形成される湾曲焦点面の形状に対応する凸面を有し、締具の他方は、湾曲焦点面の形状に対応する凹面を有する。フレキシブルＰＣＢと締具とは、対応する位置合わせ孔を有する。ダウエルが、フレキシブルＰＣＢおよび締具の位置合わせ孔を通して挿入されて、締具に対するフレキシブルＰＣＢの位置を確保する。次いで、フレキシブルＰＣＢが、締具間で押圧されることによって、湾曲焦点面の形状に成形される。次いで、締具が一体にボルト締めされる。これらを行うことによって、光検出器が、光学システムの焦点面の湾曲形状に対応する空間的湾曲形状に沿って位置するように、フレキシブルＰＣＢ上に搭載される。
【００３５】
[0038]  複数の光検出器中の各光検出器が、焦点面上のそれぞれの３次元位置に来るように、湾曲済みのフレキシブル基板を光学システムに対して配置するステップ（ブロック４３０）の例は、フレキシブルＰＣＢをそれらの間に保持する締具をハウジング内の或る位置に搭載し、光学アセンブリをハウジング内の別の位置に搭載するステップを含むことができる。これらの位置に搭載すると、フレキシブルＰＣＢを、光学システムによって設定される湾曲焦点面に配置することができる。一部の例では、ハウジングはＬＩＤＡＲプラットフォームの一部であり得る。一部の例では、光学システムは、非球面とトロイダル面とを有するレンズなどのレンズを備えることができる。
【００３６】
[0039]  フレキシブルＰＣＢ上へのアバランシェフォトダイオードの前述の搭載は、方法４００の非限定的な例示的実施形態としてのものである。たとえば、アバランシェフォトダイオードは、使用することができる光検出器のタイプの特定の例である。使用される光検出器要素には、フォトトランジスタ、アバランシェフォトトランジスタ、フォトダイオード、光電池、フォトレジスタ、焦電検出器、ＣＭＯＳアクティブ画像センサ、ＣＣＤ素子、または当業者に周知の他のあらゆる光検出器要素を含めることができる。さらに、フレキシブル基板に搭載する光検出器には、多数のタイプの光検出器を含めることができる。光検出器は、電磁スペクトルの可視、紫外、および／または赤外部分の光の波長を検出するように構成することができる。一部の例では、光検出器に達する波長を制限するために、光検出器上にフィルタを配置することができる。
【００３７】
[0040]  さらに、フレキシブル基板は、フレキシブルＰＣＢでもよく、あるいは全体的もしくは部分的に導電性でも非導電性でもよいあらゆるフレキシブル材料から製作することができる。例示的実行形態で使用されたダイボンディングの代替として、フレキシブル基板に光検出器を搭載するステップは、接着剤の使用、または当業者に周知の他の搭載方法を含むことができる。さらに、検出システムへの光検出器の電気的接続には、フレキシブル基板から独立しまたはそれに組み込まれた個々のワイヤ、マイクロストリップライン、または当業者に周知の他の方法を含めることができる。
【００３８】
[0041]  ２つの湾曲締具間にフレキシブル基板を挟持するステップは、方法４００の単に一つの可能な実施形態に過ぎない。たとえば、剛な機械的構成要素が、湾曲焦点面の湾曲形状に対応する湾曲面を有してもよい。接着剤を使用して、フレキシブル基板をその剛な構成要素に固定し、それによって、フレキシブル基板に搭載された光検出器の位置が、焦点面の湾曲形状に実質的に共形になるようにすることができる。別の非限定的例では、湾曲焦点面の湾曲形状にその湾曲が整合する湾曲スロットを有する機械加工構成部品を使用することができる。光検出器が搭載されたフレキシブル基板を湾曲スロットに挿入し、それによって湾曲焦点面に対応する湾曲面上に光検出器を位置させることができる。あるいは、フレキシブル基板を指定の形状に湾曲させその湾曲を維持する当業者に既知のあらゆる方法を、特許請求の範囲に記載の、光学システムの湾曲焦点面の形状への基板の湾曲を果たすために採用することができる。
【００３９】
[0042]  同様に、光検出器の列に平行な方向に沿ってフレキシブル基板を湾曲させるための締具の使用は、湾曲焦点面の形状と共形になるように基板を湾曲させる非限定的例として示されたものである。基板は、光検出器の列に垂直な方向に湾曲させることができ、または両方向に湾曲させることができる。さらに、基板は、光検出器の位置が光学システムの焦点面の湾曲形状に対応するように、フレキシブル基板上の光検出器の配置に対していかなる１つまたは複数の方向にでも湾曲させることができる。
【００４０】
[0043]  フレキシブル基板を湾曲させるために締具が使用される場合、例示的実施形態で説明したように（すなわちボルトによって）締具同士を互いに取り付けることができ、または他の方法によってそれらを取り付けることができる。たとえば、締具は、クリップ、溶接、接着剤、１つまたは複数の磁石、液圧もしくは空気圧力、または当業者に周知の別の取付方法のいずれによっても取り付けることができる。
【００４１】
[0044]  図４に示された例示的実施形態４００中の工程の順序付けは、単に例示目的のためのものであり、特許請求の範囲に記載の方法の可能な実行形態を限定するものではないことに留意されたい。それら工程は、いかなる順序で実行してもよく、または同時に行うこともできる。
【００４２】
[0045]  様々な例示的態様および例示的実施形態が本明細書に開示されてきたが、他の態様および実施形態が当業者には明らかになるであろう。本明細書に開示された様々な例示的態様および例示的実施形態は、説明目的のためのものであり、限定するためのものではなく、真の範囲および意図は、添付特許請求の範囲によって示される。
【図１】
0006571649.tif 000002
【図２】
0006571649.tif 000003
【図３】
0006571649.tif 000004
【図４】
0006571649.tif 000005